(57)【要約】課題  携帯端末機にて使用する、ソーシャル  ネットワーキング  サービスを使用した、使用者及び他人の、短期間の未来についてスケジュールを共有する。解決手段  情報共有サーバと、該情報共有サーバに接続されてスケジュールデータを保存する情報共有サーバ用データベースと、携帯端末機とからなり、前記携帯端末機は、演算制御部、表示装置、入力装置、記憶装置、通信装置を備え、演算制御部は、前記通信装置と通信ネットワークを介して前記情報共有サーバに接続された前記情報共有サーバ用データベースから複数日及び複数人数分の前記スケジュールデータを記憶装置に取得し、この取得された該スケジュールデータをタイル画面で前記表示装置の表示画面に表示し、前記表示画面に表示された前記タイル画面を前記入力装置の操作によって横方向及び縦方向にスクロールさせて表示させる情報共有システム。
2015107668.tif 000002
【特許請求の範囲】
【請求項１】
少なくとも、情報共有サーバと、該情報共有サーバに接続されてスケジュールデータを保存する情報共有サーバ用データベースと、携帯端末機とからなり、
前記携帯端末機は、演算制御部、表示装置、入力装置、記憶装置、通信装置を備え、
演算制御部は、前記通信装置と通信ネットワークを介して前記情報共有サーバに接続された前記情報共有サーバ用データベースから複数日及び複数人数分の前記スケジュールデータを記憶装置に取得し、この取得された該スケジュールデータをタイル画面で前記表示装置の表示画面に表示し、
前記表示画面に表示された前記タイル画面を前記入力装置の操作によって横方向及び縦方向にスクロールさせて表示させること
を特徴とする情報共有システム。
【請求項２】
前記タイル画面は、一人１日分の前記スケジュールデータを前記表示画面全域に表示させることを特徴とする請求項１に記載の情報共有システム。
【請求項３】
前記スケジュールデータは、１枚のタイル画面上に表示可能な１又は複数の個別スケジュールデータを有し、
前記個別スケジュールデータは、１又は複数のステッカから構成されることを特徴とする請求項１に記載の情報共有システム。
【請求項４】
前記ステッカは、複数個の前記ステッカが目的別に分類されて収納されていること
を特徴とする請求項３に記載の情報共有システム。
【請求項５】
前記表示装置の表示画面へ前記タイル画面を表示する第１閲覧モードと、複数個のブリック画面を表示する第２閲覧モードとを、相互に切り替え可能であることを特徴とする請求項１又請求項２に記載の情報共有システム。
【請求項６】
前記表示画面に表示した前記タイル画面のスクロールは、前記タイル画面毎に停止させて表示するものであることを特徴とする請求項１又は請求項２に記載の情報共有システム。
【請求項７】
前記情報共有サーバ用データベースから取得された複数日の前記スケジュールデータは、７日分の前記スケジュールデータであること
を特徴とする請求項１に記載の情報共有システム。
【請求項８】
前記スケジュールデータに入力するコメントは、他の使用者の個別スケジュールデータに入力してブリック画面に入力済であることを示す表示手段を有すること
を特徴とする請求項３に記載の情報共有システム。
【請求項９】
少なくとも、情報共有サーバと、該情報共有サーバに接続されてスケジュールデータを保存する情報共有サーバ用データベースと携帯端末機とからなり、
前記携帯端末機は、演算制御部、表示装置、入力装置、記憶装置、通信装置を備え、
演算制御部は、前記通信装置と通信ネットワークを介して前記情報共有サーバに接続された前記情報共有サーバ用データベースから複数日及び複数人数分の前記スケジュールデータを記憶装置に取得し、この取得された該スケジュールデータをタイル画面で前記表示装置の表示画面に表示し、
前記表示画面に表示された前記タイル画面は、前記入力装置の操作によって横方向及び縦方向にスクロールさせて表示されること
を特徴とする情報共有方法。
【請求項１０】
少なくとも、情報共有サーバと、該情報共有サーバに接続されてスケジュールデータを保存する情報共有サーバ用データベースと携帯端末機とからなり、
前記携帯端末機は、演算制御部、表示装置、入力装置、記憶装置、通信装置を備え、
演算制御部は、前記通信装置と通信ネットワークを介して前記情報共有サーバに接続された前記情報共有サーバ用データベースから複数日及び複数人数分の前記スケジュールデータを記憶装置に取得し、この取得された該スケジュールデータをタイル画面で前記表示装置の表示画面に表示し、
前記表示画面に表示された前記タイル画面は、前記入力装置の操作によって横方向及び縦方向にスクロールさせて表示されること
を特徴とする情報共有プログラム。
【発明の詳細な説明】
【技術分野】
【０００１】
本発明は、携帯端末機にて使用する、ソーシャル  ネットワーキング  サービス（Ｓｏｃｉａｌ  Ｎｅｔｗｏｒｋｉｎｇ  Ｓｅｒｖｉｃｅ  （以下ＳＮＳと記す））システムを使用した、使用者本人及び他人の、短期間の未来についてスケジュールを共有する、情報共有システム、情報共有方法、及び情報共有プログラムに関する。
【背景技術】
【０００２】
近年、スケジュールの管理において、コンピュータシステムの通信ネットワークを利用して、複数人でスケジュールを共有して管理するシステムが使用されている。【０００３】
特許文献１では、携帯電話機を用いて、会社、友人サークル用、家族とのスケジュールといったような複数のスケジュールを、インターネット上にスケジュール掲示板を各グループに個別的に対応させて複数設け、会社用、サークル用あるいは家族用のスケジュール掲示板に、それぞれのメンバーが登録して管理することで、複数のスケジュールの調整や管理を容易とする、スケジュール管理システム及び携帯電話機が開示されている。【０００４】
特許文献２では、グループウェアに表示するスケジュールの設定期間について、複数の表示ラインを用いてスケジュールに関連する情報を表示する場合に、優先順位の高い表示ラインから順に割り付けて上位に表示されるような、情報表示を好適に行い、ユーザの利便性を向上させる発明が開示されている。
【先行技術文献】
【特許文献】
【０００５】
【特許文献１】特開２００２−４１７３３
【特許文献２】特開２００５−８４７６１
【発明の開示】
【発明が解決しようとする課題】
【０００６】
特許文献１は、各グループの責任者が共通のスケジュールを書き込み、グループのメンバーのみがスケジュールを確認することが可能な発明が記載されている。特許文献２はスケジュールの記入者が、記入時にスケジュールに関するメンバーを選択し、スケジュール登録する旨が記載されている。【０００７】
これらのスケジュールは、時間、場所等の確定した予定を登録して、グループに登録したメンバーに知らせる情報として使用される。このスケジュールに他の使用者がなにかしらコメントをしたい場合の方法としては、電子メールやメモ書き等の連絡手段を使用する必要がある。また、登録したメンバー以外は閲覧に制限があるという不便さがある。【０００８】
また、特許文献１の図２及び特許文献２の図５に記載のように、これらのスケジュールは、記入時に時間（期間）、場所、コメント等のデータを入力して保存する必要がある。このように、備忘録的に使用されている従来のスケジュールは入力型式が決められており、過去情報・現在情報のように、確定している予定を入力するには適しているが、一部が未確定な若しくは不確定な未来情報などの予定に対しては使用しにくい。また、メンバーが異なる言語を使用している場合、内容の理解に齟齬を生じる場合がある。【０００９】
そこで、本発明の目的は、絵図からなるステッカを使用して個別のスケジュールを簡単に作成するとともに、アクセスを許可した特定多数の者に近未来のスケジュールを公開することで情報の共有化を行い、そのスケジュールに対する特定多数の者からの反応によって、柔軟にスケジュールを変更、確定をすることができる、ＳＮＳシステムを使用したスケジュールを提供する情報共有システム、情報共有方法、及び情報共有プログラムに関する。
【課題を解決するための手段】
【００１０】
本発明に係る情報共有システムによれば、少なくとも、情報共有サーバと、該情報共有サーバに接続されてスケジュールデータを保存する情報共有サーバ用データベースと、携帯端末機とからなり、前記携帯端末機は、演算制御部、表示装置、入力装置、記憶装置、通信装置を備え、演算制御部は、前記通信装置と通信ネットワークを介して前記情報共有サーバに接続された前記情報共有サーバ用データベースから複数日及び複数人数分の前記スケジュールデータを記憶装置に取得し、この取得された該スケジュールデータをタイル画面で前記表示装置の表示画面に表示し、前記表示画面に表示された前記タイル画面を前記入力装置の操作によって横方向及び縦方向にスクロールさせて表示させることを特徴とする。【００１１】
本発明に係る情報共有システムによれば、前記タイル画面は、一人１日分の前記スケジュールデータを前記表示画面全域に表示させることを特徴とする。【００１２】
本発明に係る情報共有システムによれば、前記スケジュールデータは、１枚のタイル画面上に表示可能な１又は複数の個別スケジュールデータを有し、前記個別スケジュールデータは、１又は複数のステッカから構成されることを特徴とする。【００１３】
本発明に係る情報共有システムによれば、前記ステッカは、複数個の前記ステッカが目的別に分類されて収納されていることを特徴とする。【００１４】
本発明に係る情報共有システムによれば、前記表示装置の表示画面へ前記タイル画面を表示する第１閲覧モードと、複数個のブリック画面を表示する第２閲覧モードとを、相互に切り替え可能であることを特徴とする。【００１５】
本発明に係る情報共有システムによれば、前記表示画面に表示した前記タイル画面のスクロールは、前記タイル画面毎に停止させて表示するものであることを特徴とする。【００１６】
本発明に係る情報共有システムによれば、前記情報共有サーバ用データベースから取得された複数日の前記スケジュールデータは、７日分の前記スケジュールデータであることを特徴とする。【００１７】
本発明に係る情報共有システムによれば、前記スケジュールデータに入力するコメントは、他の使用者の個別スケジュールデータに入力してブリック画面に入力済であることを示す表示手段を有することを特徴とする。【００１８】
本発明に係る情報共有方法によれば、少なくとも、情報共有サーバと、該情報共有サーバに接続されてスケジュールデータを保存する情報共有サーバ用データベースと携帯端末機とからなり、前記携帯端末機は、演算制御部、表示装置、入力装置、記憶装置、通信装置を備え、演算制御部は、前記通信装置と通信ネットワークを介して前記情報共有サーバに接続された前記情報共有サーバ用データベースから複数日及び複数人数分の前記スケジュールデータを記憶装置に取得し、この取得された該スケジュールデータをタイル画面で前記表示装置の表示画面に表示し、前記表示画面に表示された前記タイル画面は、前記入力装置の操作によって横方向及び縦方向にスクロールさせて表示されることを特徴とする。【００１９】
本発明に係る情報共有プログラムによれば、少なくとも、情報共有サーバと、該情報共有サーバに接続されてスケジュールデータを保存する情報共有サーバ用データベースと携帯端末機とからなり、前記携帯端末機は、演算制御部、表示装置、入力装置、記憶装置、通信装置を備え、演算制御部は、前記通信装置と通信ネットワークを介して前記情報共有サーバに接続された前記情報共有サーバ用データベースから複数日及び複数人数分の前記スケジュールデータを記憶装置に取得し、この取得された該スケジュールデータをタイル画面で前記表示装置の表示画面に表示し、前記表示画面に表示された前記タイル画面は、前記入力装置の操作によって横方向及び縦方向にスクロールさせて表示されることを特徴とする。
【発明の効果】
【００２０】
本発明によれば、使用者は１〜複数個のステッカを選択することで、簡単にスケジュールを作成することができる。ステッカは、目的別に纏めて複数用意してあるので、使用者は自己の目的に合うステッカを選択すればよい。【００２１】
また、ステッカにより個別のスケジュールを作成するので、文字情報に頼らないスケジュールを作成することができる。また、ステッカの図柄により内容を簡単に把握できるので、言語を越えて、スケジュールを閲覧した他の使用者（友人）と意志疎通ができる。【００２２】
本発明によれば、１画面サイズのスケジュールは使用日から近未来の７日間のみを作成、公開することができるので、短い未来に対する予定が立てやすく、短期間に対する入力なので、気軽に入力することができる。【００２３】
また、スケジュールはステッカを使用することで、確定していない曖昧な近未来の予定を入れることができる。そのスケジュールを、アクセスを許可した特定多数の者にスケジュールを公開することで、他の使用者（友人）から、そのスケジュールに対してコメントを得ることができる。また、得たコメントを参考に、容易にスケジュールの変更、確定をすることができる。【００２４】
また、１日のスケジュールが１画面中に表示されるので、一見して容易にスケジュールを把握しやすい。また、ステッカは、１画面中の任意の位置に配置することができる。【００２５】
また、使用者の１画面のスケジュール画面表示中に、横方向にスクロールをすると、使用者の別日付のスケジュール画面が表示され、縦方向にスクロールをすると、その日付の他の使用者（友人）のスケジュールが表示されるので、容易に他の使用者（友人）のスケジュールを閲覧することができる。【００２６】
また、横方向、縦方向の何れのスクロールも、次のスケジュール画面が画面中央部で自動停止する。スクロール中にスケジュール画面と次のスケジュール画面の途中で停止することが無いため、スクロール中にストレスを感じることが無くなる。【００２７】
また、他のＳＮＳの情報を参照して情報共有サーバの初期設定を行うので、導入が容易である。
【図面の簡単な説明】
【００２８】
【図１】本発明に係る、システム構成図である。
【図２】本発明に係る、ブロック図である。
【図３】本発明に係る、画面構成の概念図である。
【図４】図４（ａ）は、本発明に係る、ホーム画面（第１閲覧モード）であり、当日のスケジュールを示す図、図４（ｂ）は、当日のスケジュール無い場合を示す図、図４（ｃ）は、ホーム画面の一日後のスケジュールを示す図、図４（ｄ）は、当日の友人（Ｆ１）スケジュールを示す図である。
【図５】本発明に係る、ステッカ入力時の画面を示す図であり、図５（ａ）はＷｈａｔステッカ入力画面を示す図、図５（ｂ）はＷｈｅｎステッカ入力画面を示す図、図５（ｃ）はＷｈｏステッカ入力画面を示す図、図５（ｄ）はＨｏｗステッカ入力画面を示す図である。
【図６】ステッカ貼付け動作の説明を示す図である。
【図７】本発明に係る、ブリック画面（第２閲覧モード）を示す図である。
【図８】本発明に係る、コメントボタン押下時のコメント入力画面を示す図であり、図８（ａ）は第１閲覧モードのコメント入力画面を示す図、図８（ｂ）は第２閲覧モードのコメント入力画面を示す図である。
【図９】本発明に係る、メインメニューの処理時の画面を示す図であり、図９（ａ）はカレンダー画面を示す図、図９（ｂ）及び（ｃ）はアクテティビティ画面を示す図、図９（ｄ）はフォロー画面を示す図である。
【図１０】図１０は、入力選択メニューを示す図であり、図１０（ａ）テキスト画面を示す図、図１０（ｂ）は壁紙入力画面を示す図である。
【図１１】本発明に係る、処理フロー図である。
【図１２】本発明に係る、シーケンス図である。
【図１３】本発明に係る、プロフィール画面を示す図である。
【発明を実施するための形態】
【００２９】
＜第１実施形態＞
以下、本発明の実施形態について図を参照しながら、詳細に説明する。
［システム構成］
図１に示すように、本発明の情報共有システム１は、使用者が、電話機能及びインターネット機能を存する携帯端末機１０を使用して、通信ネットワーク３に接続されている情報共有サーバ７にアクセスし、情報共有サーバ用データベース８に保有されている各使用者の情報を携帯端末機１０にダウンロード及び操作することで、使用者のスケジュールデータを閲覧することを許可された他の使用者（以下、「友人」と称する）のスケジュール情報を、閲覧し、コメント等をすることができる。
【００３０】
また、初期設定時には、アプリケーションソフトウェアダウンロードサーバ４から、本発明に係るアプリケーションソフトウェア９（以下、アプリ９と称する）をダウンロード及びインストールを行い、さらに、ＳＮＳ（ｓｏｃｉａｌ  ｎｅｔｗｏｒｋｉｎｇ  ｓｅｒｖｉｃｅ：ソーシャル  ネットワーキング  サービス）サーバ５にアクセスして、ＳＮＳサーバ用データベース６から、必要な情報を取得し、その情報を情報共有サーバ用データベース８に登録する処理が行われる。
【００３１】
図２に示すように、携帯端末機１０は、演算制御部１３、表示装置１４、入力装置１５、記憶装置１８、及び通信装置１９を有している。携帯端末機１０は、アプリ９が動作可能であれば、タブレット型端末機、ノートパソコン、デスクトップパソコン、携帯電話機、スマートフォン、ＰＤＡ（Ｐｅｒｓｏｎａｌ  Ｄｉｇｉｔａｌ  Ａｓｓｉｓｔａｎｔ）等の機器を問わない。また、ＯＳ（Ｏｐｅｒａｔｉｏｎ  ｓｙｓｔｅｍ）についても、携帯端末機用のｉＯＳ（登録商標）、Ａｎｄｒｏｉｄ（登録商標）や、Ｍａｃ  ＯＳ（登録商標）、ＭＳ−Ｗｉｎｄｏｗｓ（登録商標）等のパソコン用等のＯＳでも良い。また、入力装置もマウス、タブレット、タッチパネル等の使用者が操作し端末機に入力できるもので有ればよい。本実施例では、小型で可搬型のタッチパネル入力形式を有する携帯端末機を例として説明する。
【００３２】
演算制御部１３は、ＣＰＵ等からなり、記憶装置１８等の各種装置と信号を送受信し、携帯端末機１０の動作を制御する機能、具体的には、アプリ９の処理、通信処理等を実行する。
【００３３】
表示装置１４は、液晶ディスプレイ等でなり、携帯端末機１０の動作状況やアプリ９を表示するための機器であり、使用者側の表面には、入力装置１５のタッチパネル１５ａが設置されている。
【００３４】
入力装置１５は、タッチパネル１５ａと、操作ボタン１５ｂとを有する。
タッチパネル１５ａは、表示装置１４の表面に設置され、使用者は、表示装置１４のディスプレイに表示されたアプリのアイコン及びボタン操作や、文字入力等の入力操作を、画面に直接指やスタイラスペンでタッチし、入力を行う。タッチパネルを使用することで、直感的で素早い操作を行うことができる。タッチパネルは、主に静電容量方式と抵抗膜方式等があるが、本発明では、何れの方式を用いてもよい。
操作ボタン１５ｂは、アプリ９を実行中に押下することで、他のアプリやメニュー画面に切り替える機能を有する。また、操作ボタン１５ｂにその他の機能を持たせてもよい。
【００３５】
記憶装置１８は、揮発性メモリ（Ｒａｎｄｏｍ  Ａｃｃｅｓｓ  Ｍｅｍｏｒｙ：ＲＡＭ）、不揮発性メモリ（ｎｏｎｖｏｌａｔｉｌｅ  ｍｅｍｏｒｙ）、及びハードディスク（ｈａｒｄ  ｄｉｓｋ）等を有している。携帯端末機１０の動作中の一時記憶保存にはＲＡＭを使用し、携帯端末機１０の初期設定等の消去しないデータは、ハードディスクや不揮発性メモリに保存される。また、アプリ９は、記憶装置１８の不揮発性メモリ又はハードディスクにインストール及び保存されており、プログラム実行時にＲＡＭに展開され、演算制御部１３がアプリ９の実行をする。
【００３６】
通信装置１９は、携帯端末機１０が通信ネットワーク３に接続して通信を行う機器である。携帯端末機１０と通信ネットワーク３間の通信方式は、携帯電話のデータ通信であるＷ−ＣＤＭＡ、ＣＤＭＡ２０００等の方式によるもの、又は、無線方式であるＢｌｕｅｔｏｏｔｈ（登録商標）、Ｗｉ−Ｆｉ（ｗｉｒｅｌｅｓｓ  ｆｉｄｅｌｉｔｙ：登録商標）、ＩｒＤＡ（Ｉｎｆｒａｒｅｄ  Ｄａｔａ  Ａｓｓｏｃｉａｔｉｏｎ）等によるもの、あるいは、有線方式である、イーサネット（登録商標）による同軸、光ケーブル等によるもの等、何れの接続方式でも良く、通信ネットワーク３と携帯端末機１０の相互間でデータの送受信が行える構成であればよい。
【００３７】
次に、上述した初期設定によってアプリ９のダウンロードが完了した状態で、携帯端末機１０上でアプリ９の実行時に、表示装置１４に表示される画面について図３及び図４を参照して説明する。
【００３８】
［第１閲覧モード］
アプリ９が使用者によって起動されると、図４に示すように、表示装置１４である表示画面２１には、アプリ９の実行中の動作画面が表示される。図４（ａ）は、アプリ９の第１閲覧モード５１（基本画面）を示しており、タイル画面２３、日付表示欄２５、スクロールバー２６、入力ボタン２９、コメントボタン２８、閲覧モード切替ボタン２７、メインメニュー４０等を有している。
【００３９】
タイル画面２３は、一枚のタイル状の画面を構成し、１又は複数の個別スケジュールデータ３０ａからなるスケジュールデータ３０を表示する。図３に示すように、タイル画面２３の縦方向、横方向共に大きさは固定サイズであり、変更することができない。従って、使用者が１日分のタイル画面２３に書き込みができる個別スケジュールデータ３０ａはタイル画面２３の範囲内であるから、４〜５件程度である。
【００４０】
日付表示欄２５は、表示画面の上端部に位置し、本実施形態である使用日の日時から計算して、７日先までの日付（図３に示すＤ１〜Ｄ７）と曜日をタグ形式で並べて表示する。従って使用日以前の日、及び７日目以降の日の、期間外のデータは表示しなくなる。例えば、図４（ａ）では、１１日木曜日（ＴＨＵ）のタイル画面２３を表示しているが、図４（ｃ）では、１２日金曜日（ＦＲＩ）のタイル画面を表示している。日付表示欄２５を７日間表示とすることは、７日間（一週間）サイクルは、天気予報やテレビ番組表等で一般的に使用されている期間であるために、使用者にとってはなじみ深く、スケジュールも把握しやすい期間となっている。
なお、日付表示欄２５に表示する日付は、例えば３日間や１０日間など他の期間に適宜設定したものでもよく、本実施形態では７日間に限定したものを用いている。
【００４１】
［スケジュールデータスクロール方法］
以下、図３を用いて、スケジュールデータ３０に係るタイル画面２３の配列と、画面のスクロール方法について説明する。図３は、スケジュールデータ３０を表示する、タイル画面２３の配列を模式的に示す図である。縦軸は人物別にＴ１（使用者を示している）、Ｔ２・・・Ｔｎと採番され、横軸は７日分の日付別にＤ１、Ｄ２・・・Ｄ７が採番されている。図４（ｂ）に示すように、１日分の個別スケジュールデータ３０ａが無い日、若しくは初回起動時等の画面であり、図４（ｂ）にように、タイル画面２３にステッカ３１が何もない状態で表示される。そして、１日分のスケジュールデータ３０は、１又は複数の個別スケジュールデータ３０ａから構成される（図４（ａ）等参照）。
【００４２】
図４（ａ）は使用者のスケジュールデータ３０のＴ１Ｄ１を示し、図４（ｃ）はＴ１Ｄ２を示し、図４（ｄ）は最上位にある友人の第１日目のスケジュールデータ３０であるＴ２Ｄ１を示している。
【００４３】
まず、図４に示すホーム画面（図３に示すＴ１Ｄ１に位置する）から、使用者の翌日のスケジュールを閲覧する場合、タッチパネル１５ａを操作し左方向にスクロールさせる（スワイプ）。表示画面２１に表示されるデータは、スワイプ方向とは逆の、概念上右方向に位置するタイル画面（Ｔ１Ｄ２）に遷移する。
また、使用日乃至７日目以外の期間外のスケジュールデータ３０は表示対象外とし、使用日以前の方向、及び７日目以降の方向にスワイプしても、スクロール動作を行わない。
【００４４】
タッチパネル１５ａを操作しタイル画面２３をスワイプする場合、横方向及び縦方向への画面スクロールをすることができるが、斜め方向への画面スクロールを規制する処理を行っている。例えば、タイル画面のＴ２Ｄ３では、右方向Ｔ２Ｄ４、左方向Ｔ２Ｄ２、上方向Ｔ１Ｄ３及び、下方向Ｔ３Ｄ３へのスクロールは許可されるが、Ｔ１Ｄ２、Ｔ１Ｄ４、Ｔ３Ｄ２、及びＴ３Ｄ４へのスクロールを規制している。斜め方向へのスクロールを規制することで、使用者にとって、横スクロール時には対象人物ごとのスケジュールデータ３０を意識して確認することができ、また、縦スクロール時には日付毎のスケジュールデータ３０を意識して確認することができる。
【００４５】
このような十時方向のスクロールは、斜め方向にスクロールする場合に比べて、使用者が現在どのデータを閲覧しているか、位置情報の把握を容易にすることができる。
【００４６】
また、タイル画面２３のスクロールは、タイル画面２３の１画面単位でスクロールを行い、スクロールしたタイル画面２３の上下左右の端部が表示画面２１にぴたりと停止するような表示処理を行う。つまり、画面スクロール中に、スクロール中の画面の途中で停止することがない。例えば、タイル画面２３のＴ１Ｄ１とＴ１Ｄ２の途中や、Ｔ１Ｄ１とＴ２Ｄ１の途中でスクロールが停止し、両画面の境界線が表示画面２１に表示中のまま停止するようなことは生じない。このように画面スクロールを処理することで、使用者はスワイプを１度するだけで次画面に遷移するので、操作性の向上を図ることができ、また、スクロール中の画面が途中でとぎれて表示されることによるストレスを感じることを低減することができる。
【００４７】
日付が変わると、新しい７日分のスケジュールデータ３０へ更新する。今までのＤ１を削除し、Ｄ２を新しいＤ１に繰り上げる。順次前日データを繰り上げ、新しいＤ１乃至Ｄ６とする。そして、新しいＤ７のスケジュールデータ３０を情報共有サーバ７から取得してこれを記憶装置１８に記憶し、新しいＤ１乃至Ｄ７とする。
【００４８】
［個別スケジュールの構成］
図４（ｂ）は、インストール後の初回起動時や、新しい日付が設定された場合の、タイル画面上にはスケジュールデータ３０（個別スケジュールデータ３０ａ）が何も入力されていない空データの状態である。本実施形態では、図４（ａ）、（ｃ）のように、１又は複数のステッカ３１を組み合わせて、一件の個別スケジュールデータ３０ａを作成することができる。
【００４９】
Ｗｈａｔステッカ３１ａ、Ｗｈｅｎステッカ３１ｂ、Ｗｈｏステッカ３１ｃ及びＨｏｗステッカ３１ｄは、それぞれのステッカを横一列に組み合わせて、一件のスケジュールを表現する。例えば、図４（ａ）に示す個別スケジュールデータ３０ａでは、Ｗｈａｔステッカ３１ａは『ミーティング』、Ｗｈｅｎステッカ３１ｂは『１：００』、Ｗｈｏステッカは『Ｊｏｈｎ』氏及びＨｏｗステッカ３１ｄは『ため息』で構成されている。よって、このスケジュールは、「使用者『Ｔａｒｏ』は１１日木曜日の『１時００分』、『Ｊｏｈｎ』と『ミーティング』をする予定。しかし、気が重くて『ため息』をつく気分である。」を意味する。また、図４（ｃ）に示す個別スケジュールデータ３０ａ１は「使用者『Ｔａｒｏ』は１２日金曜日の『１２時００分』、『Ｈａｎａｋｏ』と『昼食』をする予定で、『うれしい』気分である。」を意味する。２件目の個別スケジュールデータ３０ａ２は「使用者は１２日金曜日に『Ｉｃｈｉｒｏ』と『読書』をする予定」を意味する。Ｗｈｅｎステッカ３１ｂが入力されていないので、時間は未定である。
【００５０】
このように、使用者のスケジュールを個別スケジュールデータ３０ａは「何を（Ｗｈａｔステッカ）」「何時（Ｗｈｅｎステッカ）」「誰と（Ｗｈｏステッカ）」「どのような（Ｈｏｗステッカ）」の４つのステッカで視覚的、直感的に表示することができる。よって、使用者の使用言語に関わらず、スケジュールの内容を容易に理解することができる。
【００５１】
［ステッカ処理］
本実施形態では、ステッカは用途、目的別に、Ｗｈａｔステッカ３１ａ、Ｗｈｅｎステッカ３１ｂ、Ｗｈｏステッカ３１ｃ、Ｈｏｗステッカ３１ｄの４種類を準備している。ステッカ３１は、スケジュールを第三者に伝達するために必要な情報を選出したものである。本実施形態では４種類を準備したが、他にもスケジュールの伝達に必要な情報を選出して適宜種類を増やすようにしてもよい。また、それぞれのステッカ３１は各ステッカウィンドウ３７（図５（ａ）等参照）に分類され、それぞれが様々な用途に対応すべく、複数個のステッカ３１が準備保管されており、使用者は、自己の用途に合ったステッカを選択することができる。
【００５２】
図４（ａ）に示す入力ボタン２９を押下すると、図５（ａ）乃至（ｄ）に示すように、表示中のタイル画面２３の情報の入力、更新のための画面に遷移し、入力選択メニュー３３、ステッカメニュー３５及びステッカウィンドウ３７が表示される。
【００５３】
Ｗｈａｔステッカ３１ａは、図５（ａ）に示すように、「ミーティング」「外出」等の行動を示す絵図からなる。ステッカメニュー３５からＷｈａｔステッカ表示ボタン３５ａを押下すると、Ｗｈａｔステッカウィンドウ３７ａが表示され、アプリ９に登録されている複数のＷｈａｔステッカ３１ａが表示される。
【００５４】
Ｗｈｅｎステッカ３１ｂは、図５（ｂ）に示す様に、時計の絵図からなる。ステッカメニュー３５から、Ｗｈｅｎステッカ表示ボタン３５ｂを押下すると、Ｗｈｅｎステッカウィンドウ３７ｂが表示され、アプリ９に登録されている複数のＷｈｅｎステッカ３１ｂが表示される。
【００５５】
Ｗｈｏステッカ３１ｃは、友人の顔写真及び氏名等の絵図からなる。ステッカメニュー３５から、Ｗｈｏステッカ表示ボタン３５ｃを押下すると、Ｗｈｏステッカウィンドウ３７ｃが表示され、ＳＮＳサーバ５から取得し、記憶装置１８に一時的に記憶されている複数のＷｈｏステッカ３１ｃが表示される（図５（ｃ）参照）。
【００５６】
Ｈｏｗステッカ３１ｄは、感情や気持ちを表現する絵図からなる。ステッカメニュー３５から、Ｈｏｗステッカ表示ボタン３５ｄを押下すると、Ｈｏｗステッカウィンドウ３７ｄが表示され、アプリ９に登録されている複数のＨｏｗステッカ３１ｄが表示される（図５（ｄ）参照）。
【００５７】
これらのステッカ３１は、各ステッカウィンドウ３７ａ乃至３７ｄを表示中に、タイル画面２３に貼付けして使用したいステッカ３１を、タッチ、タップするか、又は各ステッカウィンドウからタイル画面２３にドラッグすることで、タイル画面２３に貼付ける。
【００５８】
また、個別スケジュールデータ３０ａは、各目的別のステッカ３１を一個ずつ貼付ける例を示したが、同じ目的別のステッカ３１を複数貼付けるようにしてもよい。例えば、複数のＷｈｏステッカ３１ｃを貼ったり、Ｗｈｅｎステッカ３１ｂを複数貼って、開始時刻と終了時刻を表現する等ができる。また、図４（ｃ）の個別スケジュールデータ３０ａ２に示すように、各目的別のステッカ３１を、４個以下で使用してもよい。
【００５９】
また、ステッカ３１の貼付け位置は、１件の個別スケジュール３０ａを構成するステッカが横一列（図４（ａ）等参照）に並んでいれば、タイル画面２３内の任意の場所で良く、貼付け後も使用者がドラッグして任意の位置に変更することができる。使用者は１枚のタイル画面２３内でステッカ３１の配置を自由に変更して、使用感や視認性の向上や、各個人の創意工夫したステッカ配置のアレンジを楽しむことができる。
【００６０】
また、個別スケジュールデータ３０ａに貼付けたステッカ３１は上記のステッカウィンドウ３７を表示中であれば簡単に削除することができるので、使用者は何度でも個別スケジュールデータ３０ａのステッカ３１を簡単に変更することができる。
【００６１】
［ステッカ貼付処理］
ステッカ３１ａ乃至３１ｄの貼付処理について、図６を参照して説明する。
まず、入力ボタン２９を押下すると（図６（ａ））、タイル画面２３をコピーした、貼付作業用タイル画面２３ａが生成され、タイル画面２３上に、使用者に閲覧されるように重畳して表示される（図６（ｂ））。
【００６２】
次に、貼付作業用タイル画面２３ａに重畳して、確定実行ボタン（Ｄｏｎｅ）３２が表示画面２１の上端から表示画面中心方向に向かって、順次移動出現する。また、入力選択メニュー３３、ステッカメニュー３５、及びステッカウィンドウ３７が表示画面２１の下端から表示画面中心方向に向かって、順次移動出現してくる（図６（ｃ））。各表示物の移動が停止すると、図５（ａ）乃至図５（ｄ）に示すタイル画面２３を使用者は見ているように錯覚するが、実際は、重畳された貼付作業用タイル画面２３ａ、確定実行ボタン３２、入力選択メニュー３３、ステッカメニュー３５、及びステッカウィンドウ３７を見ていることになる。
【００６３】
次に、使用者がステッカウィンドウ３７からステッカ３１を選択すると、選択されたステッカ３１が貼付作業用タイル画面２３ａに貼付けられる（図６（ｄ））。
【００６４】
そして、確定実行ボタン３２を押下すると、確定実行ボタン３２が表示画面中心方向から表示画面２１の上端に向かって順次移動して消滅し、確定実行ボタン３２、入力選択メニュー３３、ステッカメニュー３５、及びステッカウィンドウ３７が表示画面中心方向から表示画面２１の下端に向かって、順次移動して消滅する（図６（ｅ））。
【００６５】
最後に、貼付作業用タイル画面２３ａに貼付けられたステッカ３１がコピーされてタイル画面２３に貼付けられ、貼付作業用タイル画面２３ａは廃棄される（図６（ｆ））。使用者は、最終的にステッカ３１が貼付けられたタイル画面２３を見ることになる。
【００６６】
このように、ステッカ３１を、ステッカウィンドウ３７から貼付作業用タイル画面２３ａを経由してタイル画面２３に貼付けることで、使用者は、あたかもステッカウィンドウ３７からタイル画面２３に直接ステッカ３１を貼付けているような視覚的効果を得ることができる。この処理を行うことで、従来の処理のように、使用者は、閲覧中の画面から別の作業画面に移動して作業をするという表示処理から生じる、視覚的なストレスを解消することができる。
【００６７】
［スケジュールデータの更新］
入力したタイル画面２３上の更新された個別スケジュールデータ３０ａは、確定実行ボタン３２を押下すると、携帯端末機１０は、記憶装置１８に保存された個別スケジュールデータ３０ａの更新及び、更新された個別スケジュールデータ３０ａを通信装置１９から、通信ネットワーク３を介して情報共有サーバ７に送信する。
【００６８】
このようにして、携帯端末機１０で更新された個別スケジュールデータ３０ａ（スケジュールデータ３０）を即時に、情報共有サーバ用データベース８に保存されているスケジュールデータ３０への更新、保管を行うことで、携帯端末機１０の記憶装置１８と情報共有サーバ用データベース８の同期を取り、友人の携帯端末機１０が情報共有サーバ用データベース８にアクセスすることで、タイムラグが短く、使用者と友人で最新の更新された個別スケジュールデータ３０ａを閲覧することができる。
【００６９】
［第２閲覧モード］
本実施形態は、閲覧モード切替ボタン２７を押下することで、図４（ａ）に示すタイル画面２３を表示する第１閲覧モード５１と、図７に示すブリック画面２４を表示する第２閲覧モード５２を切り替える機能を有している。
【００７０】
図７に示すように、ブリック画面２４は、友人の氏名とＷｈｏステッカ３１ｃのみを、一画面に複数枚を縦に並べて表示する。ブリック画面２４は、友人の氏名とＷｈｏステッカ３１ｃのみを一画面に複数枚分を縦に並べて表示するので、複数の友人の中から目的の友人を探すのに適している。
【００７１】
ブリック画面２４に表示される友人は、アプリ９をインストール後の第１回起動時に、ＳＮＳサーバ用データベース６に使用者の友人として登録されていた友人情報を、特定多数の人物情報として、情報共有サーバ用データベース８にコピーして使用する。その後、アプリ９を使用しながら使用者が友人の登録人数を行い増やしてゆく。本実施形態では、初期設定における最大登録人数の制限は無いが、使用者が初期設定を変更して、最大登録人数を適宜設定、変更することができるようにしても良い。
【００７２】
第２閲覧モードのブリック画面２４は、横の長さは表示画面２１の端部から端部にわたり、縦方向の長さは、表示画面２１の縦の長さを複数に分割する形状で表示される。図７ではＴ１乃至Ｔ５の５件を表示する例を示すが、表示件数は表示画面２１の範囲内で適宜変えることができるようにしても良い。Ｔ５以降のスケジュールデータ３０が追加になった場合は、スクロールバー２６もしくは、スワイプ操作で上下にスクロールさせることで表示することができる。
【００７３】
また、ブリック画面２４の表示順序は、最上位Ｔ１の位置に、使用者のスケジュールデータ３０であるＴ１が表示され、以下、友人のスケジュールデータ３０のＴ２乃至Ｔｎが表示される。この友人のブリック画面２４の順序は、入力装置１５のタッチパネル１５ａを操作してドラッグ等で入れ替えることができる。例えば、Ｔ３を使用者Ｔ１の次位に移動し、「Ｔ１、Ｔ３、Ｔ１、Ｔ２、Ｔ５」の表示順序に変更して表示することができる。ブリック画面２４の表示順序を変更すると、図３に示すタイル画面２３の表示順序も、連動して変更される。また、次回起動時は変更後の表示順序で表示するように、情報共有サーバ用データベース８に表示順序の情報を保存するようにしてもよい。
【００７４】
スケジュールデータ３０（個別スケジュールデータ３０ａ）が登録されている場合は、第２閲覧モード５２で表示しているブリック画面２４上に、個別スケジュールデータ３０ａが存在することを示すマーク４７ａが表示される。個別スケジュールデータ３０ａの登録は、日付表示欄２５で選択中の日付への登録でも、日付表示欄２５に示す７日間のうちのいずれかの場合でもよい。また、使用者又は友人がコメントを記入した場合も、コメントが存在することを示すマーク４７ａが表示される。なお、スケジュールデータ３０とコメントの場合で、マーク４７ａの形状を変えて表示する機能を追加し、使用者が一見してどちらのデータが存在するかを判別できるようにしてもよい。その他、表示方法は適宜可変して表示するようにしても良い。
また、ブリック画面２４で友人の閲覧モード切替ボタン２７ｂを押下すると、ブリック画面２４（第２閲覧モード５２）は、その選択した友人のタイル画面２３（第１閲覧モード５１）の表示に切り替わる。
【００７５】
［その他の操作］
図４（ａ）等に示す、スクロールバー２６は、ドラッグ操作や、触ったりすることで、表示画面２１を上下にスクロールさせる機能を有する。表示画面２１の表示内容が複数画面にわたる表示情報が存在する場合は、表示画面２１の下方向に表示情報が隠れて見えなくなっている。そこで、スクロールバー２６を操作して、タイル画面を上下にスクロールさせることで、隠れてしまった情報を見ることができるようにする。
【００７６】
図４（ａ）等に示す、コメントボタン２８は押下することで、図８（ａ）に示すように、コメント入力画面４２に遷移し、コメント入力欄４２ａ及びポストボタン（Ｐｏｓｔ）４２ｂを表示し、表示中のタイル画面２３に対して、コメントを入力することができる状態に遷移する。コメントの入力は、使用者及び友人の何れにもすることができる。また、コメント入力欄４２ａを選択すると、図８（ｂ）に示すように、さらにソフトウェアキーボード４２ｃが表示され、文字入力を容易にすることができる。入力したコメントは、図８（ａ）及び図８（ｂ）の何れの画面でもポストボタン４２ｂを押下することで、入力したコメントを確定、保存することができる。
【００７７】
この機能により、使用者は友人によって入力されたコメントを確認することで、友人が使用者のどの個別スケジュールデータ３０ａについて関心を持っているかを知ることができる。例えば、コメントボタン２８に近接して、友人によって入力されたコメントの集計数（スケジュールデータ３０毎の集計、個別スケジュールデータ３０ａ毎の集計、全体の集計等）を表示するようにしても良い。また、使用者は友人から寄せられたコメントを参考にして、柔軟に個別スケジュールデータ３０ａの変更（時間、場所等）し、最終的に個別スケジュールデータ３０ａを確定することができる。
【００７８】
このように、アクセスを許可した特定多数の者（友人）に近未来（７日間）のスケジュールを公開することで情報の共有化を行い、そのスケジュールに対する友人からのコメントによる反応によって、柔軟にスケジュールを変更、確定することができる。
【００７９】
また、使用者及び友人は、上述のように、気になった個別スケジュールデータ３０ａには、コメントをつけることができるが、その個別スケジュールデータ３０ａの実行日になったら、メッセージやメールで通知する機能（リコメンド）や、友人に閲覧を促すメッセージやメールで通知する機能（リマインド）を設けても良い。
【００８０】
［メインメニュー］
メインメニュー４０は、図４（ａ）（ｂ）等に示すように、本発明の各種機能を選択するボタンを表示する。ボタンを押下することで、その機能の能力を発揮する画面に遷移する。本発明ではメインメニュー４０に登録されているボタンは、ホームボタン（Ｈｏｍｅ）４０ａ、カレンダーボタン（Ｃａｌｅｎｄｅｒ）４０ｂ、アクティビティボタン（Ａｃｔｉｖｉｔｙ）４０ｃ、及びフォローボタン（Ｆｒｉｅｎｄ）４０ｄであるが、その他の機能ボタンを追加してもよいし、現在のボタンを削除するようにしてもよい。
【００８１】
ホームボタン４０ａは、押下されると、アプリ９の何れかの画面で操作、閲覧中であっても、その画面を放棄し、図４（ａ）に示す基本状態の画面（ホーム画面）に遷移する。
【００８２】
カレンダーボタン４０ｂは、押下されると図９（ａ）に示すように、１ヶ月単位のカレンダー画面４５ａを表示する。カレンダー画面４５ａは、表示画面２１のタッチパネル１５ａ（図４（ａ）参照）を左右にフリックすることで、過去又は未来の１ヶ月単位のカレンダーを表示する（図示せず）。また、日付表示欄２５で表示される７日間（使用日〜７日）は、配色を変える等、目立つ表示形式にしても良い。例えば、図９（ａ）では、日付表示欄２５に表示される日付は、二重枠で示している。また、個別スケジュールデータ３０ａ又は友人からのコメントが存在する場合は、該当する日付にカレンダー用マーク４７を表示する。
【００８３】
なお、カレンダー表示は、使用者自身のカレンダー画面４５ａを見ることができるが、友人のカレンダー画面４５ａは見ることはできない。本発明は、近未来のスケジュールを公開するので、使用者以外の他人のスケジュールデータを見ることができるのは、図３に示すＤ１〜Ｄ７の期間内のスケジュールデータに制限している。
【００８４】
なお、図４（ａ）に示すように、日付表示欄２５に表示される７日間以外の期間外のスケジュールデータ３０のタイル画面２３は、存在しないため表示されないが、使用者自身は、カレンダー表示画面から日付を指定すれば、７日間以外の個別スケジュールデータ３０ａを見ることができる。
【００８５】
図９（ｂ）に示すように、アクティビティボタン４０ｃは、押下されると、第１アクティビティ画面４５ｂ１に遷移する。第１アクティビティ画面４５ｂ１は、使用者の個別スケジュールデータ３０ａに対して、何らかのアクションをとった友人のＷｈｏステッカ３１ｃ及び氏名等の情報をタイル形式で表示する。例えば、使用者の何日の個別スケジュールデータ３０ａを、誰が閲覧したか、その閲覧した時間、友人が使用者に対してコメントを書いた場合の日時、友人への通知の依頼等を表示する。
【００８６】
これによって、使用者は、第１アクティビティ画面４５ｂ１を閲覧することで、友人からの、コメント、連絡事項があることや、自分のどのような個別スケジュールデータ３０ａに対して関心を持っているかを知ることができる。使用者は、このようなコメントや関心に応じて、個別スケジュールデータ３０ａを修正する判断材料とすることができる。
【００８７】
また、第１アクティビティ画面４５ｂ１から「Ｕｐｄａｔｅ」ボタンを押下することで、図９（ｃ）に示すように、第２アクティビティ画面４５ｂ２に遷移する。第２アクティビティ画面では、友人が自己の個別スケジュールデータ３０ａを更新した場合に、その更新された個別スケジュールデータ３０ａの情報を表示する。使用者は第２アクティビティ画面を閲覧することで、使用者の関心のある、友人の個別スケジュールデータ３０ａに更新があったことを知ることができる。
【００８８】
図９（ｄ）に示すように、フォローボタン４０ｄは押下されると、フォロー画面４５ｃに遷移する。フォロー画面４５ｃは友人及び友人以外の使用者一覧をブリック画面２４で表示し、友人の追加や削除等を行う。フォロー画面４５ｃは友人の追加や削除をするためのボタン（図示せず）や、友人に登録するか否かの問い合わせを行うボタン（図示せず）を有している。友人の追加や削除等を行うと、図７に示すブリック画面２４に表示される友人が増減する。
【００８９】
［入力選択メニュー］
図１０（ａ）に示すように、入力選択メニュー３３において、テキスト入力ボタン（Ｔｅｘｔ）３３ｂを押下すると、テキスト入力画面３８に遷移する。使用者はテキスト入力画面３８に表示されたソフトウェアキーボードを使用して、タイル画面２３のテキスト入力欄３８ａに文字入力をすることができる。また、使用者本人のみならず、友人のタイル画面２３に対してもコメントを入力することができる。この場合、入力された友人には、コメント入力があった旨のマーク４７ａ（図７参照）が通知される。
【００９０】
入力されたタイル画面２３上のテキストの更新は、確定実行ボタン（Ｄｏｎｅ）３２を押下すると、携帯端末機１０は更新された個別スケジュールデータ３０ａを通信装置１９から通信ネットワーク３を介して情報共有サーバ７に送信する。
【００９１】
図１０（ｂ）に示すように、入力選択メニュー３３において、壁紙入力ボタン（Ｔｈｅｍｅ）３３ｃを押下すると、壁紙変更画面３９に遷移する。使用者は壁紙変更画面３９に表示された画像を選択して、タイル画面２３の背景に表示される模様として使用することができる。壁紙は、予めアプリ９に登録されている物のほか、使用者が携帯端末機１０に取り込んだ写真を使用することができる。入力されたタイル画面２３上の壁紙の更新は、確定実行ボタン３２を押下する。前述したように、確定実行ボタン３２を押下すると、携帯端末機１０は更新された個別スケジュールデータ３０ａ（図４（ａ）（ｃ）等参照）を通信装置１９から、通信ネットワーク３を介して、情報共有サーバ７に送信する。
【００９２】
［手段の説明］
次に、図１１及び図１２を参照して、本発明の処理の流れを説明する。図１１は、本発明に係る情報共有システムの基本的な処理の流れ、図１１は、本発明に係る情報共有システムの処理シーケンス図である。
【００９３】
図１１及び図１２に示すように、準備手段（ステップＳ１）は、携帯端末機１０でアプリ９を初めて使用する際に、アプリ９をダウンロードし、インストールする手段である。
【００９４】
アプリ９が携帯端末機１０にインストールされていない場合は、使用者は携帯端末機１０の入力装置１５を操作して、演算制御部１３から命令を発信し、通信装置１９から通信ネットワーク３を介して、アプリケーションソフトウェアダウンロードサーバ４にアクセスする。そして、使用者は所定の操作を行い、アプリ９を、アプリケーションソフトウェアダウンロードサーバ４から通信ネットワーク３を介して、通信装置１９を経由して携帯端末機１０の記憶装置１８内にダウンロードし保管する（ステップＳ２１）。そして、ダウンロードされたアプリ９を記憶装置１８内にインストールし、実行可能な状態に設定する。なお、すでにアプリ９が記憶装置１８内にインストールされている場合は、準備手段の実行を省略する。
【００９５】
次に、起動手段（ステップＳ２）は、携帯端末機１０でアプリ９を起動すると、アプリ９は、既存のＳＮＳサーバ５に接続するために、あらかじめ手続き済の認証依頼を演算制御部１３から命令を発信し、通信装置１９から通信ネットワーク３を介してＳＮＳサーバ５へ送信する（ステップＳ２２）。ＳＮＳサーバ５は、認証依頼が正常な場合は、認証許可を携帯端末機１０に応答する（ステップＳ２３）。次にＳＮＳサーバ５は、ＳＮＳサーバ用データベース６に蓄積されている使用者に関する初期設定用データを携帯端末機１０に送信する（ステップＳ２４）。アプリ９は、アプリケーションソフトウェアダウンロードサーバ４から通信ネットワーク３を介して、通信装置１９を経由して携帯端末機１０の記憶装置１８内に初期設定用データを保存する。初期設定用データは使用者の個人情報であり、例えば、基本情報（氏名、年齢）、顔写真、友人情報等である。
【００９６】
次に、初期設定手段（ステップＳ３）に遷移する。初期設定手段は、携帯端末機１０のアプリ９は、ステップＳ２４で取得した初期設定用データを、記憶装置１８内から読み出し、通信装置１９から通信ネットワーク３を介して情報共有サーバ７に送信する（ステップＳ２５）。情報共有サーバ７は、受信した初期設定用データを情報共有サーバ用データベース８に登録し、以後、使用者のスケジュールデータ３０を構築する基礎情報とする。
【００９７】
送信する初期設定用データは、起動が第１回目であり、情報共有サーバ用データベース８に携帯端末機１０の設定データが存在しない場合は、情報共有サーバ７に使用者の基本情報が存在しないものとして、基本情報（氏名、年齢）、顔写真、友人情報等を送信する。また、第２回目以降の情報共有サーバ７へのアクセス時は、すでに基本情報が情報共有サーバ用データベース８に登録済みであるとして、基本情報を送信しないで、顔写真、友人情報等を送信する。
【００９８】
次に情報共有サーバ７は、情報共有サーバ用データベース８から使用者のスケジュールデータ３０（図４（ａ）、（ｃ）等に図示）を取得して、取得されたスケジュールデータ３０を携帯端末機１０に送付する（ステップＳ２６）。携帯端末機１０は受信したスケジュールデータ３０を記憶装置１８に保存する。
【００９９】
次に、画面表示手段（ステップＳ４）として、演算制御部１３は、記憶装置１８に保存されたスケジュールデータ３０を記憶装置１８から呼び出し、表示装置１４の表示画面２１（図４（ａ）等に図示）に表示する。図３に示すように、起動後最初に取得するスケジュールデータ３０は、５人分（Ｔ１乃至Ｔ５）×７日分（Ｄ１乃至Ｄ７）のタイル画面２３が３５枚分である。このように、表示装置１４に表示することで、使用者がスケジュールデータ３０を閲覧することができるようになる。また、図４に示すように、起動直後の画面は、使用者の使用日のタイル画面２３（図３に示す、Ｔ１Ｄ１（ホーム画面））が表示される。
また、画面表示手段は、閲覧モード切替ボタン２７を押下することで、タイル画面２３の表示を、第１閲覧モード５１と、ブリック画面２４を縦方向に複数表示する第２閲覧モード５２の表示を相互に切り替えることができる。
【０１００】
次に、画面操作手段（ステップＳ５）として、演算制御部１３は、表示画面２１に表示されたスケジュールデータ３０に係るタイル画面２３の配列と、使用者が入力装置１５のタッチパネル１５ａを操作したことを検出し、画面スクロールの表示制御を行う。
図３は、タイル画面２３の配列を模式的に示す図である。縦軸は人物別にＴ１、Ｔ２・・・Ｔｎと採番され、横軸は７日分の日付別にＤ１、Ｄ２・・・Ｄ７が採番されている。上述の画面のスクロール方法で説明したように、図４に示すホーム画面（Ｔ１Ｄ１）から、使用者の翌日のスケジュールを閲覧する場合、タッチパネル１５ａで左方向にスクロールさせる（スワイプ）と、表示画面２１に表示されるデータはスワイプ方向とは逆の概念上右方向に位置するタイル画面２３（Ｔ１Ｄ２）に遷移する。また、斜め方向へのスクロールを規制している。
【０１０１】
スケジュールデータ確認手段（ステップＳ６）は、使用者及び友人が表示画面２１に表示されたスケジュールデータ３０（個別スケジュールデータ３０ａ）を確認する処理及び、使用者がスケジュールデータ３０（個別スケジュールデータ３０ａ）を更新したり、友人からのコメントの確認、友人にコメントを書き込む場合の、データの処理を行う。
【０１０２】
まず、使用者及び友人はタイル画面２３及びブリック画面２４で表示された自己や他人の個別スケジュールデータ３０ａを確認したり、第１アクティビティ画面４５ｂ１で友人からのコメントを確認する。また、使用者のみカレンダー画面４５ａで、自己の過去及び未来のスケジュールを確認することができる。また、使用者は個別スケジュールデータ３０ａに寄せられたコメントを読んで、個別スケジュールデータ３０ａの変更、確認の参考とすることができる。
【０１０３】
図５（ａ）乃至（ｄ）、図１０（ａ）及び図１０（ｂ）に示すように、個別スケジュールデータ３０ａの入力、変更は、確定実行ボタン３２を押下することにより個別スケジュールデータ３０ａの確定を行う。また、コメントの書き込みは、「Ｐｏｓｔ」ボタンを押下することによって確定する（ステップＳ２７）。
【０１０４】
スケジュールデータ更新手段（ステップＳ７）は、使用者がスケジュールデータ確認手段（ステップＳ６）で確定された個別スケジュールデータ３０ａ又はコメントの内容を記憶装置１８及び情報共有サーバ７の情報共有サーバ用データベース８に登録する処理である。
まず、演算制御部１３は、記憶装置１８に記憶している内容を、使用者がスケジュールデータ確認手段（ステップＳ６）で確定された個別スケジュールデータ３０ａ又はコメントの内容で更新を行う。次に演算制御部１３は、通信装置１９から、通信ネットワーク３を介して、情報共有サーバ７に更新された個別スケジュールデータ３０ａ（スケジュールデータ３０）、コメントを送信する。情報共有サーバ７は受信した更新に係る個別スケジュールデータ３０ａ、コメントを情報共有サーバ用データベース８に登録する。
【０１０５】
このようにして、携帯端末機１０で更新された個別スケジュールデータ３０ａ（スケジュールデータ３０）を、コメントを即時に情報共有サーバへ送信し、情報共有サーバ用データベース８に保存されているスケジュールデータ３０のコメントを更新、保管を行うことで、自己の携帯端末機１０の記憶装置１８の内容を最新とすると共に、友人へ新しい情報の公開を行うことができる。
【０１０６】
また、画面表示手段は（ステップＳ４）、使用者が、指でタイル画面を縦方向にスクロールさせている途中、例えば、画面Ｔ５Ｄ１を表示中に次に下方向にスクロールの指示がきた場合は、表示させる新たなタイル画面が記憶装置１８に無い。そこで端末機１の中央演算処理機は、スケジュールデータ３０の最終行であるＴ５Ｄ１乃至Ｔ５Ｄ７のいずれかの画面が表示された場合、次の５人分（Ｔ６乃至Ｔ１０）×７日分（Ｄ１乃至Ｄ７）のタイル画面が３５枚分のスケジュールデータ３０の送信を情報共有サーバ７に要求する（ステップＳ２８）。
【０１０７】
情報共有サーバ７は、送信用要求に応答して、図３に示すように、情報共有サーバ用データベース８から次の５人分（Ｔ６乃至Ｔ１０）×７日分（Ｄ１乃至Ｄ７）のスケジュールデータ３０取得して、取得されたスケジュールデータ３０を携帯端末機１０に送付する（ステップＳ２９）。携帯端末機１０は、送信されたスケジュールデータ３０を記憶装置１８に保存する。
【０１０８】
以降、同様に、最後のＴｍＤ１乃至ＴｍＤ７のスケジュールデータ３０の何れか１を表示した場合、次の５人分（Ｔｍ＋１乃至Ｔｍ＋６）×７日分（Ｄ１乃至Ｄ７）のタイル画面が３５枚分のスケジュールデータ３０を、情報共有サーバ７から取得する。
【０１０９】
また、追加画面を５人分×７日分の３５枚分のスケジュールデータ３０を取得する例を示したが、取得する人数分は５人分に限定されず、記憶装置１８及び通信装置１９と通信ネットワークの送受信状態を考慮した上で、適宜最適な人数分（例：１０人分、２０人分等）のスケジュールデータ３０を取得することができるようにしてもよい。
【０１１０】
＜第２実施形態＞
なお、上記の情報共有システム１は、ハードウェア、ソフトウェア又はこれらの組合せにより実現することができる。また、上記の情報共有システム１により行なわれる情報共有方法も、ハードウェア、ソフトウェア又はこれらの組合せにより実現することができる。ソフトウェアによって実現されるとは、コンピュータがプログラムを記憶媒体等から読み込んで実行することを意味する。
【０１１１】
プログラムは、記録媒体に格納されコンピュータに供給することができる。記録媒体は、例えば、磁気記録媒体（フロッピー（登録商標）ディスク、磁気テープ、ハードディスクドライブ等）、光磁気記録媒体（ＣＤ−ＲＯＭ、ＤＶＤ−ＲＯＭ、ＢＬ−ＲＯＭ等）、半導体メモリ（マスクＲＯＭ、ＰＲＯＭ、ＥＰＲＯＭ、フラッシュＲＯＭ、ＲＡＭ（ｒａｎｄｏｍ  ａｃｃｅｓｓ  ｍｅｍｏｒｙ）等）を含む。また、プログラムは、電気通信回線を介してコンピュータに供給することもできる。
【０１１２】
＜追加機能＞
上記第１実施形態では、図３に示すように、友人を連続したスケジュールデータ（Ｔ１、Ｔ２、・・・Ｔｎ）としたが、グループ別にスケジュールデータを構成するようにしてもよい。例えば、家族別、職場別、サークル別、にタブ表示をするようにしても良い。
【０１１３】
また、友人の登録情報を知る手段として、プロフィール画面（Ｐｒｏｆｉｌｅ）６０を設け、Ｗｈｏステッカ３１ｃの持主の氏名、自己紹介、及び個別スケジュールデータ３０ａ等を表示する機能を設けるようにしても良い。プロフィール画面６０への遷移は、図４（ａ）等、図７等に示すように、タイル画面２３及びブリック画面２４に貼付けられている顔写真であるＷｈｏステッカ３１ｃをタップをするようにすると、使用者に分かり易く、好適である。
【０１１４】
この発明は、その本質的特性から逸脱することなく数多くの形式のものとして具体化することができる。よって、上述した実施形態は専ら説明上のものであり、本発明を制限するものではないことは言うまでもない。
【符号の説明】
【０１１５】
１      情報共有システム
７      情報共有サーバ
８      情報共有サーバ用データベース
９      アプリケーションソフトウェア
１０    携帯端末機
１４    表示装置
１５    入力装置
１５ａ  タッチパネル
２１    表示画面
２３    タイル画面
２３ａ  貼付作業用タイル画面
２４    ブリック画面
２５    日付表示欄
２７、２７ｂ    閲覧モード切替ボタン
２８    コメントボタン
２９    入力ボタン
３０    スケジュールデータ
３０ａ  個別スケジュールデータ
３１    ステッカ
３１ａ  Ｗｈａｔステッカ
３１ｂ  Ｗｈｅｎステッカ
３１ｃ  Ｗｈｏステッカ
３１ｄ  Ｈｏｗステッカ
３３    入力選択メニュー
３３ａ  ステッカ（Ｓｔｉｃｋｅｒ）入力ボタン
３３ｂ  テキスト（Ｔｅｘｔ）入力ボタン
３３ｃ  壁紙（Ｔｈｅｍｅ）入力ボタン
３５    ステッカメニュー
３５ａ  Ｗｈａｔステッカ表示ボタン
３５ｂ  Ｗｈｅｎステッカ表示ボタン
３５ｃ  Ｗｈｏステッカ表示ボタン
３５ｄ  Ｈｏｗステッカ表示ボタン
３７    ステッカウィンドウ
３７ａ  Ｗｈａｔステッカウィンドウ
３７ｂ  Ｗｈｅｎステッカウィンドウ
３７ｃ  Ｗｈｏステッカウィンドウ
３７ｄ  Ｈｏｗステッカウィンドウ
４０    メインメニュー
４０ａ  ホームボタン
４０ｂ  カレンダーボタン
４０ｃ  アクティビティボタン
４０ｄ  フォローボタン
５１    第１閲覧モード
５２    第２閲覧モード
【図１】
2015107668.tif 000003
【図２】
2015107668.tif 000004
【図３】
2015107668.tif 000005
【図４】
2015107668.tif 000006
【図５】
2015107668.tif 000007
【図６】
2015107668.tif 000008
【図７】
2015107668.tif 000009
【図８】
2015107668.tif 000010
【図９】
2015107668.tif 000011
【図１０】
2015107668.tif 000012
【図１１】
2015107668.tif 000013
【図１２】
2015107668.tif 000014
【図１３】
2015107668.tif 000015
【国際調査報告】
2015107668.tif 000016
2015107668.tif 000017